(57)【要約】【課題】  簡単に覆い具をベビーカーに掛けることができるようにする。【解決手段】  覆いシート１７を座席部１０及び背もたれ部１１に、上方から掛ける。その後、抱持バンド１８にそれを左右に押し広げる力を加えつつ、抱持バンド１８を押しハンドル部３より後方に位置させると共に抱持バンド１８の両端部の高さ位置が部材取付部４の上部と同じ高さ位置となるようにする。その後、抱持バンド１８から力を除けば、抱持バンド１８は自らの弾性で縮む。それに伴って、抱持バンド１８の端部の近傍の覆いシート１７が部材取付部４に当接させられる。このようにして、覆い具１６は、ベビーカー１に抱持させられる。【選択図】      図１
2006264534.tif 000002
【特許請求の範囲】
【請求項１】
座席部及び背もたれ部を有するベビーカー用の覆い具において、前記座席部及び背もたれ部を上方から覆う可撓性の覆いシートと、該覆いシートの縁部の一部に設けられ、且つ、ベビーカーを左右から抱持する弾性材からなる抱持バンドとを有していることを特徴とするベビーカー用の覆い具。
【請求項２】
前記抱持バンドは、前記覆いシートの縁部の一部に連続的に保持された有端の硬質環である請求項１記載のベビーカー用の覆い具。
【請求項３】
前記抱持バンドは、前記覆いシートの縁部の２個所にその両端が固定されたゴム紐である請求項１記載のベビーカー用の覆い具。
【請求項４】
前記覆いシートにベビーカーの脚に固定される固定手段が設けられている請求項１乃至３のいずれかひとつに記載のベビーカー用の覆い具。
【請求項５】
前記抱持バンドが設けられた縁部に後覆いシート片が設けられ、前記抱持バンドが設けられた縁部の近傍の縁部に横覆いシート片が設けられている請求項１乃至４のいずれかひとつに記載のベビーカー用の覆い具。
【請求項６】
前記抱持バンドの両端部が覆いシートから突出し、該突出部に抱持バンドより摩擦係数の大きな被覆材が取付けられている請求項２、４、５のいずれかひとつに記載のベビーカー用の覆い具。
【発明の詳細な説明】
【技術分野】
【０００１】
本発明は、座席部及び背もたれ部を有するベビーカー用の日除け又は雨除けの少なくとも一方の機能を有する覆い具に関する。
【背景技術】
【０００２】
ベビーカー用の覆い具は、ベビーカーに上方から被せられるようになされている、下面開放の袋状の可撓性の覆いカバーからなるものが知られている。
【発明の開示】
【発明が解決しようとする課題】
【０００３】
従来の覆い具は、ベビーカーに上方から被せるものであったため、その作業にあたり覆いカバーの下側周縁がベビーカーの車輪に当たらないよう大きく広げてベビーカーに被せることが必要であり、その作業が相当に面倒であるという欠点があった。
【０００４】
本発明は斯かる事情に鑑みてなされたものであり、主たる目的は、袋状でない覆いシートとその縁部に設けられた抱持バンドとからなる構造のものとすることにより、簡単にベビーカーに被せることができる覆い具を提供することにある。
【０００５】
本発明の他の目的は、覆いシートの縁部の一部に連続的に保持された有端の硬質環を抱持バンドとすることにより、覆いシートの縁部の一部を湾曲状に広がらせることができ、且つこの広がり状態を維持することができるベビーカー用の覆い具を提供することにある。
【０００６】
本発明の他の目的は、覆いシートの縁部の２個所にその両端が固定されたゴム紐を抱持バンドとすることにより、ゴム紐の弾性復元力により覆いシートの縁部の一部を広がらせることができ、且つこの広がり状態を維持することができるベビーカー用の覆い具を提供することにある。
【０００７】
本発明の他の目的は、覆いシートをベビーカーの脚に固定する固定手段を有する構造とすることにより、覆いシートが上方に舞い上がるのを防止することができる覆い具を提供することにある。
【０００８】
本発明の他の目的は、覆いシートに後覆いシート片及び横覆いシート片を設けることにより、より確実にベビーカーを覆うことができる覆い具を提供することにある。
【０００９】
本発明の他の目的は、抱持バンドの両端部を覆いシートから突出させ、該突出部に抱持バンドより摩擦係数の大きな被覆材を設けることにより、ベビーカーを確実に抱持することができる覆い具を提供することにある。
【課題を解決するための手段】
【００１０】
本発明は前記目的を達成するために以下の如き手段を採用した。
第１発明に係る覆い具は、座席部及び背もたれ部を有するベビーカー用の覆い具において、前記座席部及び背もたれ部を上方から覆う可撓性の覆いシートと、該覆いシートの縁部の一部に設けられ、且つ、ベビーカーを左右から抱持する弾性体からなる抱持バンドとを有していることを特徴とする。
【００１１】
第２発明に係る覆い具は、前記抱持バンドは、前記覆いシートの縁部の一部に連続的に保持された有端の硬質環であることを特徴とする。
【００１２】
第３発明に係る覆い具は、前記抱持バンドは、前記覆いシートの縁部の２個所にその両端が固定されたゴム紐であることを特徴とする。
【００１３】
第４発明に係る覆い具は、前記覆いシートにベビーカーの脚に固定される固定手段が設けられていることを特徴とする。
【００１４】
第５発明に係る覆い具は、前記抱持バンドが設けられた縁部に後覆いシート片が設けられ、前記抱持バンドが設けられた縁部の近傍の縁部に横覆いシート片が設けられていることを特徴とする。
【００１５】
第６発明に係る覆い具は、前記抱持バンドの両端部が覆いシートから突出し、該突出部に抱持バンドより摩擦係数の大きな被覆材が取り付けられていることを特徴とする。
【発明の効果】
【００１６】
第１発明によれば、抱持バンドの弾性を利用して、抱持バンド又は覆いシートをベビーカーの両側部に当接させて、覆い具をベビーカーに抱持させることができるので、従来の覆い具を被せる作業に比較してより簡単に覆い具をベビーカーに掛けることができる。また、覆いシートを、従来の袋状の覆いカバーに比較して、コンパクトにできる。
【００１７】
第２発明によれば、覆いシートの縁部の一部を硬質環により湾曲状に広がらせることができ、しかも、この広がり状態を硬質環により維持することができるため、硬質環を広げることにより覆いシートを迅速に、且つ容易に装着することができ、また、取外す場合は覆いシートを硬質環に巻きつけることにより容易にコンパクトにすることができ、着脱作業性を高めることができる。
【００１８】
第３発明によれば、覆いシートの縁部の一部をゴム紐により広がらせることができ、しかも、この広がり状態をゴム紐により維持することができるため、ゴム紐を伸ばすことにより覆いシートを迅速に、且つ容易に装着することができ、また、ゴム紐を伸ばすことにより覆いシートを取外すことができ、ゴム紐及び覆いシートを比較的小さく折畳むことができる。
【００１９】
第４発明によれば、覆いシートをベビーカーの脚に固定することができるので、覆いシートが上方に舞い上がるのを防ぐことができる。
【００２０】
第５発明によれば、後覆いシート片により背もたれ部の上部の後方空間を覆い、また、横覆いシート片により背もたれ部の左右縁部の前方空間を覆うことができるようにして、覆いシートとベビーカーとの間の隙間をより一層少なくすることができる。
【００２１】
第６発明によれば、抱持バンドの両端突出部に取り付けられた抱持バンドより摩擦係数の大きな被覆材により、抱持バンドのベビーカーへの引掛かり力を大きくすることができ、装着状態をより一層維持し易い。
【発明を実施するための最良の形態】
【００２２】
以下に本発明の実施の形態を説明する。
実施の形態１
図１にはベビーカー１が左側から見た簡略の斜視図で示され、図２は図１のII−II線拡大矢視図である。図１及び図２に基づいて、後述する覆い具１６が被せられるベビーカー１について説明する。ベビーカー１は、背面視において略逆Ｕ字状の基枠２を有しており、該基枠２は上部の押しハンドル部３を有し、該押しハンドル部３の左右端に部材取付部４が下向きに連設されている。前記左右の部材取付部４の下部に、後輪６を有する左右の後脚５及び側面視において上部が後側に向けて折曲している、前輪８を有する左右の前脚７が設けられている。左右の前脚７と左右の後脚５とに座席部１０が取り付けられている。該座席部１０の後方に位置するようにして背もたれ部１１が左右の部材取付部４に取り付けられている。また、左右の部材取付部４に、座席部１０の上方に位置するほろ１３が取り付けられている。更に、左右の部材取付部４に平面視Ｕ字状の囲い枠１４が取り付けられている。
【００２３】
図３には覆い具１６の展開図が示されている。覆い具１６は座席部１０及び背もたれ部１１を上方から覆う矩形の可撓性の覆いシート１７を有している。該覆いシート１７は、座席部１０及び背もたれ部１１を上方からほぼ覆う大きさを有している。前記覆いシート１７は、半透明であるが、図面では分かりやすいように不透明なシートとして描かれている。なお、覆いシート１７は、透明でも、不透明でもよい。覆いシート１７の素材は、ＥＶＡシートである。図４に示すごとく、覆いシート１７の上縁部に筒状部１９が形成され、該筒状部１９に弾性材からなる抱持バンド１８が連続的に内嵌固定されている。該抱持バンド１８は、合成樹脂杆、ばね鋼杆等の杆部材が環状に湾曲された有端の硬質環１８ａからなり、広げることによりベビーカー１を左右から抱持することができるように構成されている。図５は、抱持バンド１８に力を加えず、抱持バンド１８を自然の状態においた時の抱持バンド１８の湾曲状態を示す図である。
【００２４】
前記覆いシート１７の左右縁部及び下縁部に不透明な補強材２０が取り付けられている。
【００２５】
前記覆いシート１７の左右縁部の、抱持バンド１８と逆の端に、ベビーカー１の前脚７に固定される固定手段２１が設けられている。該固定手段２１は、各縁ごとに設けられた２本の紐で構成されている。
【００２６】
次に覆い具１６の使用方法を説明する。
まず、図１及び図２に示すごとく、覆いシート１７を座席部１０及び背もたれ部１１に、上方から掛ける。
その後、抱持バンド１８にそれを左右に押し広げる力を加えつつ、抱持バンド１８を押しハンドル部３より後方に位置させると共に抱持バンド１８の両端部の高さ位置が部材取付部４の上部と同じ高さ位置となるようにする。
その後、抱持バンド１８から力を除けば、抱持バンド１８は自らの弾性で縮む。それに伴って、抱持バンド１８の端部の近傍の覆いシート１７が部材取付部４に当接させられる。このようにして、覆い具１６は、ベビーカー１に抱持させられる。その後、固定手段２１を前脚７に固定する。前記と逆の手順により覆い具１６をベビーカー１から取り外すことができる。
【００２７】
実施の形態２
図６はベビーカー及び本発明の実施の形態２の覆い具を示す斜視図、図７は図６のVII −VII 線拡大矢視図、図８は覆い具の展開図である。
【００２８】
図８に示すごとく、覆い具２４の覆いシート１７の左右縁部の上部に、下方に向かって外側方に膨出した可撓性の横覆いシート片２５が形成され、また、覆いシート１７の上縁部（筒状部１９）に矩形の可撓性の後覆いシート片２６が形成されている。前記横覆いシート片２５は背もたれ部１１の左右縁部の前方空間を覆うようになされ、前記後覆いシート片２６は背もたれ部１１の上部の後方空間を覆うようになされている。
【００２９】
抱持バンド１８の左右端部は、覆いシート１７の左右端から突出しており、該突出部全体に抱持バンド１８より摩擦係数の大きなキャップ形をなす被覆材２７が圧入により被覆されている。
【００３０】
次に覆い具２４の使用方法を説明する。
まず、図６及び図７に示すごとく、覆いシート１７を座席部１０及び背もたれ部１１に上方から掛けた後、抱持バンド１８にそれを左右に押し広げる力を加えつつ、抱持バンド１８の被覆材２７を左右の部材取付部４の上部の外側方に位置させつつ、横覆いシート片２５を背もたれ部１１の左右縁部の前方空間及び外側方空間に位置させ、後覆いシート片２６の下部を背もたれ部１１の上部の後方に位置させる。
その後、抱持バンド１８から力を除けば、抱持バンド１８は自らの弾性で縮む。それに伴って、抱持バンド１８の両端の被覆材２７が部材取付部４に当接する。このようにして、覆い具２４は、ベビーカー１に抱持させられる。その後、固定手段２１を前脚７に固定する。前記と逆の手順により覆い具２４をベビーカー１から取り外すことができる。
その他の構成及び作用は実施の形態１と同様であるため、同様の構成については同じ符号を付し、その詳細な説明及び作用の説明を省略する。
【００３１】
実施の形態３
図９は本発明の実施の形態３の覆い具を示す斜視図である。この覆い具２８は有端の硬質環が抱持バンド１８を構成する代わりに、覆いシート１７の縁部の２個所にその両端が固定されたゴム紐１８ｂが抱持バンド１８を構成するようにしたものである。ゴム紐１８ｂは断面形状が扁平であり、その両端が覆いシート１７の縁部の周方向へ離隔した２個所に縫着されている。
【００３２】
実施の形態３にあっては、覆いシート１７を座席部１０及び背もたれ部１１に上方から掛けつつゴム紐１８ｂを押しハンドル部３から部材取付部４，４の外側へ嵌め込むことにより覆いシートを広がらせて装着することができ、この広がり状態をゴム紐１８ｂにより維持することができる。
その他の構成及び作用は実施の形態１、２と同様であるため、同様の構成については同じ符号を付し、その詳細な説明及び作用の説明を省略する。
【００３３】
尚、固定手段は、紐に限定されない。たとえば、固定手段を、覆いシート１７に取り付けられた帯体と、該帯体の基部に設けられた、スナップの一方構成部材（凸部を有する部材）と、帯体の自由端に設けられたスナップの他方構成部材（凹部を有する部材）とで構成し、帯体を前脚７に巻き掛けた後、スナップの両構成部材を嵌合させるようにしてもよい。覆い具が日除けである場合、覆いシートにＵＶカット剤を混入することが好ましい。
【図面の簡単な説明】
【００３４】
【図１】ベビーカー及び本発明の実施の形態１の覆い具を示す斜視図である。
【図２】図１のII−II線拡大矢視図である。
【図３】覆い具の展開図である。
【図４】図３のIV−IV線拡大断面図である。
【図５】抱持バンドを自然の状態においた時の抱持バンドの湾曲状態を示す図である。
【図６】ベビーカー及び本発明の実施の形態２の覆い具を示す斜視図である。
【図７】図６のVII −VII 線拡大矢視図である。
【図８】覆い具の展開図である。
【図９】本発明の実施の形態３の覆い具を示す斜視図である。
【符号の説明】
【００３５】
１  ベビーカー
１０  座席部
１１  背もたれ部
１６、２４、２８  覆い具
１７  覆いシート
１８  抱持バンド
１８ａ  硬質環
１８ｂ  ゴム紐
【図１】
2006264534.tif 000003
【図２】
2006264534.tif 000004
【図３】
2006264534.tif 000005
【図４】
2006264534.tif 000006
【図５】
2006264534.tif 000007
【図６】
2006264534.tif 000008
【図７】
2006264534.tif 000009
【図８】
2006264534.tif 000010
【図９】
2006264534.tif 000011